【手続補正書】
【提出日】平成16年12月16日(2004.12.16)
【手続補正１】
【補正対象書類名】明細書
【補正対象項目名】全文
【補正方法】変更
【補正の内容】
【書類名】明細書
【発明の名称】高水分含有処理物の燃焼処理装置および燃焼処理方法
【特許請求の範囲】
【請求項１】供給される高水分含有処理物を燃焼させる燃焼炉を備えた高水分含有処理物の燃焼処理装置であって、
前記燃焼炉内が常圧よりも高圧の状態で前記処理物が燃焼され、前記燃焼炉において発生した燃焼排ガスがガスタービンに供給され、このガスタービンによりコンプレッサーが駆動可能とされ、このコンプレッサーにより加圧された空気の一部が前記燃焼炉に供給され、残部が圧空利用手段に供給されて利用されていることを特徴とする高水分含有処理物の燃焼処理装置。
【請求項２】前記燃焼炉内が０．２〜１．０ＭＰａの圧力とされることを特徴とする請求項１記載の高水分含有処理物の燃焼処理装置。
【請求項３】前記ガスタービンにより酸素ＰＳＡ装置が駆動可能とされていることを特徴とする請求項１または２記載の高水分含有処理物の燃焼処理装置。
【請求項４】前記酸素ＰＳＡ装置によって発生させられた酸素が、上記燃焼炉に供給されることを特徴とする請求項３に記載の高水分含有処理物の燃焼処理装置。
【請求項５】高水分含有処理物の燃焼処理装置は、発電機を備え、この発電機と前記コンプレッサーとが、前記ガスタービンにより駆動可能とされている請求項１〜４のいずれか１項に記載の高水分含有処理物の燃焼処理装置。
【請求項６】前記ガスタービンには、補助燃焼炉において燃料を燃焼させて発生した補助燃焼排ガスが供給可能とされていることを特徴とする請求項１〜５のいずれか１項に記載の高水分含有処理物の燃焼処理装置。
【請求項７】高水分含有処理物を燃焼炉に供給して燃焼させることにより処理する高水分含有処理物の燃焼処理方法であって、上記燃焼炉内を常圧よりも高圧の状態として上記処理物を燃焼させ、前記燃焼炉において発生した燃焼排ガスをガスタービンに供給し、このガスタービンによりコンプレッサーを駆動し、前記コンプレッサーにより加圧された空気の一部を前記燃焼炉に供給するとともに、残部を燃焼処理装置系内または系外において利用することを特徴とする高水分含有処理物の燃焼処理方法。
【発明の詳細な説明】
【０００１】
【発明の属する技術分野】
本発明は、有機物を含有する廃液や下水汚泥等の高水分含有処理物を燃焼炉内で燃焼させて処理する高水分含有処理物の燃焼処理装置および燃焼処理方法に関する。
【０００２】
【従来の技術】
有機物を含有する廃液や下水汚泥等の高水分含有処理物は、従来から燃焼炉を備えた燃焼処理装置において燃焼させられて処理されている。この種の燃焼処理装置では、略大気圧すなわち常圧とされた燃焼炉内に廃液がスプレーされ、同じく燃焼炉内に供給される燃焼用空気によってこの廃液中の有機物成分が燃焼させられる。また、この有機物成分の燃焼だけでは不足する熱量は、燃焼炉内に補助燃料を供給して燃焼することにより賄われる。
【０００３】
【発明が解決しようとする課題】
しかしながら、このように廃液や下水汚泥の有機物成分が燃焼させられることにより発生した燃焼排ガスは、一般に誘引ファンによって誘引されて燃焼炉から排出され、集塵装置により固形分が分離された後、排ガス処理装置において清浄化処理されて大気に放出されるが、この燃焼排ガスからエネルギーを回収しようとした場合でも、従来は例えば上記集塵装置と排ガス処理装置との間に予熱器を介装して燃焼排ガスの熱により上記燃焼用空気を予熱する程度であって、専ら燃焼排ガスの熱エネルギーが利用されているだけであり、この燃焼排ガスの有するエネルギーを十分有効に利用するには至っていない。
【０００４】
本発明は、このような背景の下になされたもので、廃液や下水汚泥のような低発熱量で高水分含有処理物を燃焼させて処理するに際し、その燃焼によって生じたエネルギーの一層の有効利用を可能とすることを提供することを目的としている。
【０００５】
【課題を解決するための手段】
上記課題を解決して、このような目的を達成するために、本発明の燃焼処理装置は、供給される高水分含有処理物を燃焼させる燃焼炉を備えた高水分含有処理物の燃焼処理装置であって、
前記燃焼炉内が常圧よりも高圧の状態で前記処理物が燃焼され、前記燃焼炉において発生した燃焼排ガスがガスタービンに供給され、このガスタービンによりコンプレッサーが駆動可能とされ、このコンプレッサーにより加圧された空気の一部が前記燃焼炉に供給され、残部が圧空利用手段に供給されて利用されていることを特徴とする高水分含有処理物の燃焼処理装置であり、また本発明の燃焼処理方法は、高水分含有処理物を燃焼炉に供給して燃焼させることにより処理する高水分含有処理物の燃焼処理方法であって、上記燃焼炉内を常圧よりも高圧の状態として上記処理物を燃焼させ、前記燃焼炉において発生した燃焼排ガスをガスタービンに供給し、このガスタービンによりコンプレッサーを駆動し、前記コンプレッサーにより加圧された空気の一部を前記燃焼炉に供給するとともに、残部を燃焼処理装置系内または系外において利用することを特徴とする高水分含有処理物の燃焼処理装置である。このときの上記燃焼炉内の圧力は０．２〜１．０ＭＰａとされるのが望ましく、これを下回ると排出される燃焼排ガスの圧力も小さくなって十分なエネルギーの利用を図ることが困難となるおそれがある一方、逆にこの圧力を上回ると燃焼炉の耐圧性を大幅に高めなければならなくなって却って非経済的となるおそれがある。
【０００６】
さらに、本発明においては、上記燃焼炉において発生した燃焼排ガスをガスタービンに供給し、このガスタービンによりコンプレッサーを駆動させて、空気等のガスの加圧を行うが、そこで、コンプレッサーにより加圧された空気を上記燃焼炉に供給することによりこの燃焼炉内を上述のように常圧よりも高庄の状態として処理物の燃焼を行うことができる。また、高水分含有物質を燃焼炉で処理すると、前記燃焼炉からの燃焼排ガスには多量の水分が水蒸気として同伴されるため、この燃焼排ガス量でガスタービンを稼動させると、上記燃焼炉に供給すべき空気量よりも、多量の圧縮空気が生成されるので、前記燃焼炉へは生成された圧縮空気の全部を供給せずに一部を供給するようにし、残部については、その用途は限定されないが燃焼処理装置内のまたは燃焼処理装置に付随する種々の装置、例えば、ポンプ手段、発電機、空調設備、計装設備等において利用するようにしている。このように、残部を他のユーティリティーに利用するようにして燃焼排ガスの有するエネルギーの十分な有効利用が図られる。ここで、本発明にかかるガスタービンおよびコンプレッサーは、一般的な汎用のものであり、かかる一般的なガスタービンおよびコンプレッサーを使用した場合には、十分に圧縮空気が余剰となる。
【０００７】
また、前記ガスタービンにより酸素ＰＳＡ装置を駆動可能とするようにしてもよく、こうして酸素ＰＳＡ装置によって発生させられた酸素や高酸素濃度の空気を上記燃焼炉に供給すれば、燃焼炉内における処理物の燃焼効率を向上させることができるとともに、燃焼排ガスの大部分が水蒸気と二酸化炭素となるので、水蒸気を凝縮することで二酸化炭素の回収や除去が容易となる。さらにまた、上記ガスタービンにより発電機を駆動可能とすれば、燃焼排ガスのエネルギーを電力として回収することができる。なお、このガスタービンの安定運転を図ったり、特に上述のようにコンプレッサーによる加圧空気や酸素ＰＳＡ装置による酸素等を燃焼炉に供給する場合において該燃焼炉の円滑な起動を図ったりするには、上記ガスタービンに、上記燃焼排ガスとともに、補助燃焼炉において燃料を燃焼させて発生した補助燃焼排ガスを供給可能とするのが望ましい。
【０００８】
【発明の実施の形態】
本発明の実施の形態を図面を参照しながら詳述する。図１は、本発明の燃焼処理装置の一実施形態を示すものである。図１において符号１で示すのは燃焼炉であり、この燃焼炉１の上部にはスプレーノズル等を備えた複数（ただし、図１においては１つしか示されていない。）の処理物Ｐの供給口２が設けられており、これらの供給口２は、処理物供給管３により供給ポンプ４を介して処理物Ｐの貯槽５に接続されるとともに、この処理物供給管３には燃焼用空気Ａの供給管６が接続されており、貯槽５に貯留された廃液や下水汚泥等の高水分含有処理物Ｐは、供給ポンプ４によって昇圧されて燃焼用空気Ａとともに上記供給口２から燃焼炉１内に噴霧されて供給され、燃焼させられる。
【０００９】
また、燃焼炉１の上部には、やはりスプレーノズル等を備えた複数（ただし、やはり図１においては１つしか示されていない。）の補助燃料Ｒの供給口７が設けられており、これらの供給ロ７には、上記供給管６から分岐する燃焼用空気Ａの供給管８が接続された補助燃料Ｒの供給管９が接続されており、補助燃料Ｒはこの燃焼用空気Ａとともに燃焼炉１内に噴射させられて燃焼可能とされている。さらに、この燃焼炉１の炉底部には、処理物Ｐに含有された無機分の灰を排出する灰分排出口１０が設けられるとともに、燃焼炉１の炉頂部には、処理物Ｐを燃焼して発生した燃焼排ガスＧを排出する排気ロ１１が設けられている。
【００１０】
そして、この燃焼炉１の排気口１１に接続された排気管１２は集塵装置１３を介してガスタービン１４に接続されていて、燃焼炉１において発生した上記燃焼排ガスＧが、上記集塵装置１３において該燃焼排ガスＧ中に含有された固形分を分離された後にこのガスタービン１４に供給されて該ガスタービン１４を駆動させることとしている。さらに、このガスタービン１４を駆動した燃焼排ガスＧは予熱器１５に熱源として供給された後、排ガス処理装置１６に送られて清浄化処理され、大気に放出させられる。
【００１１】
ここで、上記ガスタービン１４にコンプレッサー１７が連結されて該ガスタービン１４により駆動される。そして、このコンプレッサー１７には空気Ｂが供給可能とされており、こうして供給された空気Ｂは当該コンプレッサー１７によって圧縮されて加圧された後、その一部が上記予熱器１５に送られて燃焼排ガスＧの熱により加熱され、高温高圧の燃焼用空気Ａとして上記供給管６，８に供給され、残部は他の圧空利用手段、例えば、昇圧ポンプ、発電機、空調設備、計装設備等へと供給される。従って、本実施形態では、このようにコンプレッサー１７によって加圧された高圧の燃焼用空気Ａが燃焼炉１に供給されることにより、該燃焼炉１内では常圧よりも高圧の状態で上記処理物Ｐが燃焼させられることとなる。なお、本実施形態では、こうして高圧とされた燃焼炉１内の圧力は０．２〜１．０ＭＰａの範囲となるように設定されている。さらに本実施形態では、上記ガスタービン１４にこのコンプレッサー１７を介して発電機１８が連結されて駆動可能とされており、コンプレッサー１７を駆動したガスタービン１４の余剰の駆動力によって発電が可能とされている。
【００１２】
さらにまた、上記予熱器１５から燃焼炉１に至る燃焼用空気Ａの供給管６には、上記供給管８の他に供給管２６が分岐させられていて、この供給管２６は補助燃焼炉１９に接続されている。一方、燃焼炉１の上記供給口７に補助燃料Ｒを供給する供給管９からも供給管２０が分岐させられていて、この分岐管２０は上記補助燃焼炉１９に接続されており、この分岐管２０から供給される補助燃料Ｒが補助燃焼炉１９において上記供給管２６から供給される燃焼用空気Ａによって燃焼可能とされている。そして、この補助燃焼炉１９は排気管２１を介して燃焼炉１からガスタービン１４に至る上記排気管１２に接続されており、この補助燃焼炉１９における燃焼によって発生した補助燃焼排ガスＣが、これら排気管２１，１２を介して上記ガスタービン１４に供給可能とされている。
【００１３】
従って、このように構成された燃焼処理装置を用いた本発明の燃焼処理方法の実施形態においては、廃液や下水汚泥等の高水分含有処理物Ｐは、上述のように加圧されて供給された燃焼用空気Ａによって常圧よりも高圧とされた燃焼炉１内で、その有機物成分が補助燃料Ｒとともに燃焼されて処理される。そして、その際に発生した高温の燃焼排ガスＧは、燃焼炉１内が高圧とされていることから高圧状態のまま排気口１１から排出されるので、その熱エネルギーを予熱器１５によって回収するのみならず、この燃焼排ガスＧが有する圧力のエネルギーも効率的に回収することができる。すなわち、この排気口１１に接続された排気管１２が集塵装置１３を介してガスタービン１４に接続されており、この燃焼排ガスＧのエネルギーはこのガスタービン１４の駆動力として回収される。このため、上記構成の高水分含有処理物Ｐの燃焼処理装置によれば、この処理物Ｐの燃焼によって生じたエネルギーをより有効に利用することができ、エネルギー効率の向上を図って経済的な廃液や下水汚泥等の処理物Ｐの燃焼による処理を促すことが可能となる。
【００１４】
ここで、本実施形態では上述のように、この高圧状態とされる燃焼炉１内の圧力が、０．２〜１．０ＭＰａの範囲となるように設定されているが、これは、この燃焼炉１内の圧力が０．２ＭＰａを下回るほど小さいと、排気口１１から排出されて排気管１２を介し上記ガスタービン１４に供給される燃焼排ガスＧの圧力も小さくなり、補助燃焼炉１９に多くの補助燃料Ｒを供給して補助燃焼排ガスＣを増大させなければガスタービン１４を駆動することができなくなるため、効率的なエネルギー回収が阻害されるおそれがあるからである。その一方で、逆に燃焼炉１内の圧力が１．０ＭＰａを上回るほど大きくなると、この燃焼炉１の耐圧構造をより高強度のものとしなげればならず、エネルギーの回収効率と比較しても却って非経済的となるおそれがあるので、この燃焼炉１内の圧力は、常圧より高圧でも本実施形態のように０．２〜１．０ＭＰａの範囲に設定されるのが望ましい。
【００１５】
一方、本実施形態では、上記燃焼排ガスＧのエネルギーによって駆動されるガスタービン１４が、コンプレッサー１７に連結されて該コンプレッサー１７を駆動しており、このコンプレッサー１７によって加圧された空気Ｂの一部が予熱器１５によって加熱されて高温・高圧の燃焼用空気Ａとして燃焼炉１や補助燃焼炉１９に供給可能とされている。すなわち、上述のように燃焼炉１内を常圧よりも高圧の状態とするのに、この高圧とされた燃焼炉１から排出される燃焼排ガスＧのエネルギーが利用されており、例えばこの燃焼炉１内を高圧状態とするのに、独自に駆動されるコンプレッサーを用いて燃焼用空気を加圧したりするのに比べ、回収されたエネルギーのより効率的な利用を図ることが可能となる。しかも、前記コンプレッサー１７で圧縮された圧縮空気の残部は、圧空利用手段２５としての熱処理装置内あるいは熱処理装置に付随する設備などで利用するようにしているので、より一層のエネルギーの有効利用が図られることとなる。前記圧縮空気の残部の使用用途に関しては、特に限定されない。即ち、前記圧空利用手段２５が何であるかは問わないが、例えば、昇圧ポンプ、発電機や空調設備等の駆動原として利用する。ここで、コンプレッサー１７で圧縮された圧縮空気の分配は、従来既知の分配器を使用するのが容易である。すなわち、コンプレッサー１７の後段に分配器を設置することで簡易に圧縮空気を分配することができる。
【００１６】
さらに、本実施形態では、このコンプレッサー１７を介して上記ガスタービン１４に発電機１８が連結されていて、コンプレッサー１７を駆動した余剰の駆動力によって発電が可能とされているので、燃焼排ガスＧのエネルギーをさらに余すことなく回収して一層の有効利用を促すことができる。
【００１７】
また、本実施形態では、このコンプレッサー１７によって加圧されて分配器で分配された後、予熱器１５を通って加熱された燃焼用空気Ａと上記補助燃料Ｒとが補助燃焼炉１９に供給されて燃焼可能とされ、この燃焼によって発生した補助燃焼排ガスＣが上記ガスタービン１４に供給可能とされている。従って、燃焼炉１において発生した燃焼排ガスＧの圧力が低い場合などでも、この補助燃焼炉１９において発生した補助燃焼排ガスＣを燃焼排ガスＧと合わせてガスタービン１４に供給することにより、空気Ｂを十分な圧力にまで加圧して燃焼炉１に供給することができ、この燃焼炉１内の高圧状態を安定的に維持することが可能となる。また、例えば当該燃焼処理装置の運転当初など、燃焼炉１内が十分な圧力にまで昇圧されていないときでも、この補助燃焼炉１９から補助燃焼排ガスＣをガスタービン１４に供給して空気Ｂをコンプレッサー１７で加圧したり予熱器１５で加熱したりすることにより、速やかに高温高圧の燃焼用空気Ａを燃焼炉１に供給することができ、従って燃焼炉１内が所定の高圧状態となるまでの立ち上がり時間を短縮してさらに効率的な処理物Ｐの燃焼処理を促すことも可能となる。なお、この補助燃焼炉１９からの排気管２１は、燃焼炉１からの排気管１２に接続されることなく、直接ガスタービン１４に接続されていてもよい。
【００１８】
ところで、本実施形態では、このようにコンプレッサー１７によって空気Ｂを加圧するとともに予熱器１５で加熱して燃焼炉１に燃焼用空気Ａとして供給するようにしているが、図１に破線で示すように例えばこれらコンプレッサー１７と予熱器１５との間に酸素ＰＳＡ装置２２を介装してガスタービン１４により駆動するようにしてもよい。すなわち、この酸素ＰＳＡ装置２２によれば、周知のように加圧された空気中の窒素を吸着することにより酸素濃度を増大させることが可能であるので、こうしてガスタービン１４によって酸素ＰＳＡ装置２２を駆動してコンプレッサー１７で加圧した空気Ｂの酸素濃度を増大させ、さらに予熱器１５で加熱して燃焼用空気Ａとして燃焼炉１に供給することにより、当該燃焼炉１における処理物Ｐの燃焼効率の向上を図って補助燃料Ｒの使用量を削減したりすることができ、より一層経済的な燃焼処理を促すことができる。この場合は、コンプレッサー１７の後段に設けた分配器等により圧縮空気を分配して、燃焼炉１および補助燃焼炉１９に供給すべき量として必要な量の圧縮空気量を酸素ＰＳＡ装置２２に導き、残部は汎用性の高い圧縮空気として利用できるようにする。
【００１９】
こうして必要量の高酸素濃度の燃焼用空気Ａによって処理物Ｐや補助燃料Ｒが燃焼させられることにより発生した燃焼排ガスＧは、その組成の大部分が水蒸気と二酸化炭素となるので、これを例えば上記排ガス処理装置１６において冷却することにより水蒸気を凝縮させれば、当該燃焼排ガスＧは二酸化炭素が主体のものとなり、この二酸化炭素の回収や除去が、窒素が大部分を占める通常の空気により発生した燃焼排ガスＧに比べ、容易となる。従って、このようにガスタービン１４によって酸素ＰＳＡ装置２２を駆動して燃焼炉１に高酸素濃度の燃焼用空気Ａを供給すれば、排ガス処理装置１６を介して最終的に大気に放出される排気の二酸化炭素濃度を大幅に低減することができ、近年の地球温暖化の原因ともされる二酸化炭素の排出量の削減にも寄与することが可能な燃焼処理装置を提供することが可能となる。
【００２０】
＜実施例＞
次に、図１に示した実施形態の燃焼処理装置により高水分含有処理物Ｐを燃焼処理したときの実施例について説明する。本実施例では、まず第１の実施例として、コンプレッサー１７によって加圧された空気Ｂを、酸素ＰＳＡ装置２２を介することなく直接予熱器１５に供給して加熱して燃焼用空気Ａとして燃焼炉１に供給し、廃液を処理物Ｐとして燃焼処理した。なお、この廃液は水分８９ｗｔ％、有機分１１ｗｔ％で、有機分の発熱量は２７ＭＪ／ｋｇであり、これを昇圧能力１．５ＭＰａの供給ポンプ４により３８００ｋｇ／ｈで燃焼炉１に供給した。また、この燃焼炉１には、同時に温度保持のための補助燃料Ｒとして灯油８５０ｌ／ｈを供給して燃焼させた。このとき、燃焼炉１内の圧力は０．５ＭＰａ、温度は８５０℃であった。
【００２１】
こうして処理物Ｐおよび補助燃料Ｒを燃焼した燃焼炉１からは、１４５００ｍ3Ｎ／ｈの燃焼排ガスＧが排出された。そして、この燃焼排ガスＧと、補助燃焼炉１９において補助燃料Ｒとして灯油５０ｌ／ｈを燃焼させた補助燃焼排ガスとをガスタービン１４に供給することにより、コンプレッサー１７を駆動して空気Ｂを加圧するとともに発電機１８も駆動した。このときのガスタービン１４の入口排ガスは温度８８０℃、圧力０．４６ＭＰａ、流量１５０００ｍ3Ｎ／ｈであり、出口排ガスは温度５５０℃であった。また、コンプレッサー１７の吐出空気量は約１４０００ｍ3Ｎ／ｈであった。さらに、このガスタービン１４から排出された燃焼排ガスＧは予熱器１５において３５０℃まで冷却され、一方コンプレッサー１７から予熱器１５に供給された空気Ｂは４７０℃まで予熱されて、燃焼用空気Ａとして燃焼炉１および補助燃焼炉１９に供給された。しかして、このとき発電機１８においては、４００ｋｗの発電量を得ることができた。
【００２２】
この運転において、上記燃焼炉１を所定圧力に保持するのに必要な圧縮空気量と補助燃焼炉１９に必要な圧縮空気量の合計は、１００００ｍ3Ｎ／ｈであり、４０００ｍ3Ｎ／ｈの余剰の圧縮空気が生成されることが知見された。この圧縮空気の残部をバグフィルター用空気、エアーシリンダー作動用空気として利用したところ、問題がないことが確認された。
【００２３】
次に、第２の実施例として、図１において破線で示したようにガスタービン１４によって酸素ＰＳＡ装置２２を駆動して、高酸素濃度の燃焼用空気Ａを燃焼炉１および補助燃焼炉１９に供給し、上記第１の実施例と同じ処理物Ｐを同じ処理量で燃焼処理した。このとき、燃焼炉１から排気される燃焼排ガスＧの排気量は６０００ｍ3Ｎ／ｈであった。また、補助燃焼炉１９においては第１の実施例と同じく補助燃料Ｒとして灯油約５０ｌ／ｈを燃焼させ、その補助燃焼排ガスＣと上記燃焼排ガスＧとをガスタービン１４に供給した。このときのガスタービン１４の入口排ガスは温度９１０℃、圧力０．４６ＭＰａ、流量６５００ｍ3Ｎ／ｈであり、出ロ排ガスは温度５５０℃であった。また、酸素ＰＳＡ装置２２の吐出空気量は約１５００ｍ3Ｎ／ｈで発電機１８では発電は行われなかった。しかして、この第２の実施例においては、上述のように第１の実施例と同じ処理物Ｐを同じ処理量で処理するのに燃焼炉１に供給された補助燃料（灯油）Ｒの供給量は５００ｌ／ｈであり、第１の実施例と比較して３５０ｌ／ｈ、率にして約４０％もの補助燃料Ｒの使用量の節約が可能であった。また、この第２実施例においても、酸素ＰＳＡ装置２２に供給する圧縮空気量は９０００ｍ3Ｎ／ｈでよく、実に５０００ｍ3Ｎ／ｈの余剰圧縮空気が生成されることが知見された。
【００２４】
【発明の効果】
以上説明したように、本発明の燃焼処理装置および燃焼処理方法によれば、燃焼炉内を高圧状態として高水分含有処理物を燃焼させることにより、この燃焼によって発生したエネルギーの一層の回収、有効利用を図ることができる。即ち、この燃焼炉において発生した燃焼排ガスをガスタービンに供給するとともに、このガスタービンによってコンプレッサーを駆動することにより、空気等のガスの加圧を行うことができ、この加圧空気の一部を燃焼炉に供給するとともに、残部を利用することにより効率的かつ経済的にエネルギーの有効利用を図ることができる。この燃焼炉内を高圧の状態、特に、０．２〜１．０ＭＰａとすることにより、このようなエネルギーの有効利用をより確実かつ経済的に行うことができる。一方、前記ガスタービンにより酸素ＰＳＡ装置を駆動可能とすることもでき、これにより発生した酸素を上記燃焼炉に供給すれば、その燃焼効率を向上させて補助燃料の節約を図ったり、排気からの二酸化炭素の回収や除去を容易にして二酸化炭素排出量の削減を促したりすることができる。勿論、上記ガスタービンによって発電機を駆動可能とすれば、エネルギーを電力として回収することができる。さらに、このガスタービンに、補助燃焼炉において燃料を燃焼させて発生した補助燃焼排ガスを供給可能とすれば、当該燃焼処理装置の安定した運転や速やかな起動を図ることができる。
【図面の簡単な説明】
【図１】
本発明の燃焼処理装置の一実施形態を示す概略図である。
【符号の説明】
１…燃焼炉、１４…ガスタービン、１５…予熱器、１７…コンプレッサー、１８…発電機、１９…補助燃焼炉、２２…酸素ＰＳＡ装置、２５…圧空利用手段、Ｐ…処理物、Ｒ…補助燃料、Ａ…燃焼用空気、Ｇ…燃焼排ガス、Ｂ…空気、Ｃ…補助燃焼排ガス。